(57)【要約】【課題】既設橋梁に大きな負荷を掛けることなしに幅広な拡幅歩道を容易に付設することができ、かつ耐久性を高めた拡幅歩道構造を提供する。【解決手段】  主桁及び横桁がコンクリート桁の既設橋梁の上面側部に橋軸方向へ平行に拡幅歩道用アルミニウム合金床版を張出すように突設する。  拡幅歩道用アルミニウム合金床版の一側の張出部の下面に定置された縦桁と既設橋梁の主桁下部との間にストラットを斜設し、さらに複数の主桁下部間にストラットを横架することが好ましい。  アルミニウム合金床版のアルミニウム合金は、アルミニウム製品の使用済み廃材、特に使用済のアルミニウム合金製防護柵から再生されたもの（リサイクルアルミニウム合金）であることが強度、耐食性等が優れているため好ましい。【選択図】    図１
2005127066.tif 000002
【特許請求の範囲】
【請求項１】
既設橋梁の上面側部に橋梁の橋軸方向へ平行に拡幅歩道用アルミニウム合金製床版を張出すように突設してなることを特徴とする既設橋梁の拡幅歩道構造。
【請求項２】
既設橋梁の主桁上に、拡幅歩道用アルミニウム合金製床版をその一側が既設橋梁側部へ張出すようにして上載し、定着してなることを特徴とする既設橋梁の拡幅歩道構造。
【請求項３】
拡幅歩道用アルミニウム合金製床版の一側の張出部の下面に定置された縦桁と既設橋梁の主桁下部との間にストラットが斜設され、さらに複数の主桁下部間にストラットが横架されてなることを特徴とする請求項２記載の既設橋梁の拡幅歩道構造。
【請求項４】
拡幅歩道用アルミニウム合金製床版が上載される主桁の上フランジ下面に補強部材を取着し、アルミニウム合金製床版と補強部材とを連結桿で連結してなることを特徴とする請求項２又は３に記載の既設橋梁の拡幅歩道構造。
【請求項５】
主桁がコンクリート桁であることを特徴とする請求項１〜４のいずれか１項に記載の既設橋梁の拡幅歩道構造。
【請求項６】
主桁及び横桁がコンクリート桁であることを特徴とする請求項１〜５のいずれか１項に記載の既設橋梁の拡幅歩道構造。
【請求項７】
アルミニウム合金製床版のアルミニウム合金材料が、アルミニウム製品の使用済み廃材から再生されたものであることを特徴とする請求項１〜６のいずれか１項に記載の既設橋梁の拡幅歩道構造。
【請求項８】
アルミニウム合金製床版のアルミニウム合金材料が、使用済のアルミニウム合金製防護柵から再生されたものであることを特徴とする請求項１〜６のいずれか１項に記載の既設橋梁の拡幅歩道構造。
【請求項９】
下記（ａ）〜（ｈ）工程からなることを特徴とする既設橋梁の拡幅歩道構造の施工方法。
（ａ）橋梁の主桁下から橋梁外側部にかけて吊り足場及び防護工を施工する工程。
（ｂ）既設歩道部を撤去した後、設計にて決定されたアンカー設置位置周辺の横締めＰＣ鋼材を探査し、確認し、その結果を基にして実削孔位置を決定する工程。
（ｃ）既設歩道床版のアンカー設置位置にコアボーリングマシンにより削孔を行う工程。
（ｄ）床版下面部に、補強部材としてのブラケットを設置する工程。
（ｅ）既設歩道床版上に後に設置するアルミニウム合金製床版の高さに合う、高さ調整板を敷設する工程。
（ｆ）高さ調整板の上面とその外側に延出させてアルミニウム合金製床版を橋梁の橋軸方向に平行に上載する工程。
（ｇ）アルミニウム合金製床版とブラケットとをアンカーを介して強固に連結する工程。
（ｈ）橋面工としての地覆、高欄、舗装等を施工する工程。
【請求項１０】
下記（ａ）〜（ｉ）工程からなることを特徴とする既設橋梁の拡幅歩道構造の施工方法。
（ａ）橋梁の主桁下から橋梁外側部にかけて吊り足場及び防護工を施工する工程。
（ｂ）主桁の下フランジ間に横設ストラットを挟設する工程。
（ｃ）既設歩道部を撤去した後、設計にて決定されたアンカー設置位置周辺の横締めＰＣ鋼材を探査し、確認し、その結果を基にして実削孔位置を決定する工程。
（ｄ）既設歩道床版のアンカー設置位置にコアボーリングマシンにより削孔を行う工程。
（ｅ）床版下面部に、補強部材としてのブラケットを設置する工程。
（ｆ）階段状足場を足場上に組立て、下フランジから斜め上方へ傾斜ストラットを斜設し、その上端に縦桁を取り付ける工程。
（ｇ）既設歩道床版上に後に設置するアルミニウム合金製床版の高さに合う、高さ調整板を敷設し、さらに、高さ調整板の上面とその外側に延出させてアルミニウム合金製床版を橋梁の橋軸方向に平行に上載する工程。
（ｈ）アルミニウム合金製床版とブラケットとをアンカーを介して強固に連結する工程。
（ｉ）橋面工としての地覆、高欄、舗装等を施工する工程。
【発明の詳細な説明】
【技術分野】
【０００１】
本願発明は橋梁の拡幅歩道構造に係るものであり、既設橋梁に簡易に付設される拡幅歩道構造を提供するものである。
【背景技術】
【０００２】
我が国の道路が車両を対象に設計されてから約７０年を経過した。その間、高度経済成長以降、急激なモータリゼーションの発展があり、それと並行して道路整備が行われてきたが、現在ではそれらが快適に利用可能な道路ばかりではなくなっている。
【特許文献１】実用新案出願公開  実開平６−１４２０１号公報
【発明の開示】
【発明が解決しようとする課題】
【０００３】
今後の道路への要求は全ての人が快適に利用できることであり、現在高速道路から歩行者専用道路まで様々なすみ分けが行われている。
こうした時代の流れの中、自転車歩行者道及び歩道においては道路構造令の一部改正（平成５年１１月２５日公布）にともない、車椅子利用者が安全かつ円滑にすれ違えることを主な目的として、最小幅員を拡幅する変更が行われた。
このように既設道路拡幅が必要とされているが、橋梁においては構造上、様々な制約が存在する。その一つとして既設道路構造、特に下部工への重量負担は顕著な課題である。
【課題を解決するための手段】
【０００４】
そこで、本願発明者らは鋭意研究の結果、構造材料として、従来材料である鋼・コンクリートと比較して軽量で耐食性に優れたアルミニウム合金材料を拡幅歩道用床版に適用することで上記従来技術の課題を解決する本発明をなすに至った。
したがって、本願発明は、社会基盤整備の重要課題となっている歩行者の安全と車両走行の快適性を図るための道路（橋梁）拡幅を対象にして、軽量で高比強度、高疲労耐性等を備えたアルミニウム合金製床版を用い、施工性及び経済性に優れる歩道拡幅構造及び同拡幅工法を提供するものである。
すなわち本発明は下記構成の既設橋梁の拡幅歩道構造及び歩道拡幅工法である。
（１）既設橋梁の上面側部に橋梁の橋軸方向へ平行に拡幅歩道用アルミニウム合金製床版を張出すように突設してなることを特徴とする既設橋梁の拡幅歩道構造。
（２）既設橋梁の主桁上に、拡幅歩道用アルミニウム合金製床版をその一側が既設橋梁側部へ張出すようにして上載し、定着してなることを特徴とする既設橋梁の拡幅歩道構造。
（３）拡幅歩道用アルミニウム合金製床版の一側の張出部の下面に定置された縦桁と既設橋梁の主桁下部との間にストラットが斜設され、さらに複数の主桁下部間にストラットが横架されてなることを特徴とする前記（２）記載の既設橋梁の拡幅歩道構造。
（４）拡幅歩道用アルミニウム合金製床版が上載される主桁の上フランジ下面に補強部材を取着し、アルミニウム合金製床版と補強部材とを連結桿で連結してなることを特徴とする前記（２）又は（３）に記載の既設橋梁の拡幅歩道構造。
（５）主桁がコンクリート桁であることを特徴とする前記（１）〜（４）のいずれか１項に記載の既設橋梁の拡幅歩道構造。
（６）主桁及び横桁がコンクリート桁であることを特徴とする前記（１）〜（５）のいずれか１項に記載の既設橋梁の拡幅歩道構造。
（７）アルミニウム合金製床版のアルミニウム合金が、アルミニウム製品の使用済み廃材から再生されたもの（リサイクルアルミニウム合金）であることを特徴とする前記（１）〜（６）のいずれか１項に記載の既設橋梁の拡幅歩道構造。
（８）アルミニウム合金製床版のアルミニウム合金材料が、使用済のアルミニウム合金製防護柵から再生されたものであることを特徴とする前記（１）〜（６）のいずれか１項に記載の既設橋梁の拡幅歩道構造。
【０００５】
（９）下記（ａ）〜（ｈ）工程からなることを特徴とする既設橋梁の拡幅歩道構造の施工方法。
（ａ）橋梁の主桁下から橋梁外側部にかけて吊り足場及び防護工を施工する工程。
（ｂ）既設歩道部を撤去した後、設計にて決定されたアンカー設置位置周辺の横締めＰＣ鋼材を探査し、確認し、その結果を基にして実削孔位置を決定する工程。
（ｃ）既設歩道床版のアンカー設置位置にコアボーリングマシンにより削孔を行う工程。
（ｄ）床版下面部に、補強部材としてのブラケットを設置する工程。
（ｅ）既設歩道床版上に後に設置するアルミニウム合金製床版の高さに合う、高さ調整板を敷設する工程。
（ｆ）高さ調整板の上面とその外側に延出させてアルミニウム合金製床版を橋梁の橋軸方向に平行に上載する工程。
（ｇ）アルミニウム合金製床版とブラケットとをアンカーを介して強固に連結する工程。
（ｈ）橋面工としての地覆、高欄、舗装等を施工する工程。
（１０）下記（ａ）〜（ｉ）工程からなることを特徴とする既設橋梁の拡幅歩道構造の施工方法。
（ａ）橋梁の主桁下から橋梁外側部にかけて吊り足場及び防護工を施工する工程。
（ｂ）主桁の下フランジ間に横設ストラットを挟設する工程。
（ｃ）既設歩道部を撤去した後、設計にて決定されたアンカー設置位置周辺の横締めＰＣ鋼材を探査し、確認し、その結果を基にして実削孔位置を決定する工程。
（ｄ）既設歩道床版のアンカー設置位置にコアボーリングマシンにより削孔を行う工程。
（ｅ）床版下面部に、補強部材としてのブラケットを設置する工程。
（ｆ）階段状足場を足場上に組立て、下フランジから斜め上方へ傾斜ストラットを斜設し、その上端に縦桁を取り付ける工程。
（ｇ）既設歩道床版上に後に設置するアルミニウム合金製床版の高さに合う、高さ調整板を敷設し、さらに、高さ調整板の上面とその外側に延出させてアルミニウム合金製床版を橋梁の橋軸方向に平行に上載する工程。
（ｈ）アルミニウム合金製床版とブラケットとをアンカーを介して強固に連結する工程。
（ｉ）橋面工としての地覆、高欄、舗装等を施工する工程。
【発明の効果】
【０００６】
本願発明によれば、既設橋梁に大きな負荷を掛けることなしに幅広な拡幅歩道を容易に付設することができる。※本願発明において、特にアルミニウム合金防護柵等のアルミニウム合金製既設構造物の取替等による使用済み廃材から再生された再生アルミニウム合金を床版として使用することは、強度や耐食性に優れたものであるため、拡幅された歩道の軽量化を実現でき、耐久性を高めることができる。
【発明を実施するための最良の形態】
【０００７】
本発明の実施の形態を説明する。
まず、本願発明で用いる主要部材である床版の材料であるアルミニウム合金の物理的性質は下記表１に示すごときものである。また、比較としてステンレス鋼及び鋼の物理的性質も記載した。
表１から見られるごとく、アルミニウム合金はステンレス鋼及び鋼と比較して軽量であり、かつ高比強度（ステンレス又は鋼の１．５〜１．９倍）を有するため添加部材として優位性があることが解る。
【０００８】
【表１】
2005127066.tif 000003
【０００９】
さらにアルミニウム合金製床版の好ましい特性として以下の点が挙げられる。
（１）押出形材の接合（例えば摩擦撹拌溶接法による接合）、工場組立、小規模重機搬入、ボルト取付等の施工性に優れ安定した製品であること。
（２）アルミニウム合金は軽量であるため、既設構造へ大きな影響を与えない（重量はＲＣ床版の１／５以下である）こと。
（３）資源循環型社会の形成に役立つ高リサイクル製品であること。
特に、アルミニウム合金製床版のアルミニウム合金が、アルミニウム製品、例えば道路側部に設置されたアルミニウム合金製防護棚等の既設アルミニウム合金製構造物の取替による使用済み廃材から再生されたもの（リサイクルアルミニウム合金）の場合、そもそもその使用済みアルミニウム合金が強度や耐食性等の改善された優れた特性を備えているため、再生されたリサイクルアルミニウム合金も自ずと原製品材料の特性を具備したものとなり、いわば一石二鳥の有利性を発揮することとなる。
それらの合金組成及び物理特性は下記表２に示すごときものであり、単なるアルミニウム金属素材の物理特性よりかなり優れたものである。すなわち、引張強度、圧縮強度及び耐力が３．５〜１２倍、硬度が約４倍であって、リサイクルアルミニウム合金を使用することの有利性が非常に高いことが解る。
【００１０】
【表２】
2005127066.tif 000004
【００１１】
そして、アルミニウム合金製床版１の形状としては、例えば図５に示す波形のデッキプレート１００にパネル１０１を積層接合した閉断面型のものが強度等の観点から好ましいものとして挙げられる。
【００１２】
本発明は、歩道拡幅工法としてのいわば「床版上載工法」であり、図１に示すごとく、橋梁の上部構造の既設歩道部又は既設道路部に高さ調整板２を載置しその上にアルミニウム合金製床版１を既設橋梁の上面側部に橋梁の橋軸方向へ平行に張出すように延出部１ａを延出して載設し、既設道路床版３又は既設歩道床版３’上のアルミニウム合金製床版部１ｂをアンカー４を介して既設道路床版３、既設歩道床版３’直下の主桁５、５間に挟設されたブラケット６に連結される。
【００１３】
図２に示すものは、アルミニウム合金製床版１の延出部１ａがより大きなものである場合を示し、この場合の特徴は図１の場合に付加して、拡幅歩道用アルミニウム合金製床版１の一側の延出部１ａの下面に取付られた縦桁７と主桁５基部との間に傾斜ストラット（鋼製）８が斜設され、さらに複数の主桁５、５下部間に横設ストラット（鋼製又はアルミニウム合金製）９が固着されている。こうした補強手段の傾斜ストラット８、横設ストラット９により、幅広の延出部を有する拡幅歩道構造が形成される。
【実施例１】
【００１４】
本発明の既設橋梁の拡幅歩道構造の施工工程の具体例（１）を図３（ａ）〜（ｈ）によって説明する。
まず、（ａ）図において橋梁の主桁５下から吊り材１０により橋梁外側部にかけて吊り足場１１及び防護工１２を施工する。
次いで、（ｂ）図において既設歩道部（３０）を撤去した後、設計にて決定されたアンカー設置位置周辺の既設歩道床版３’中の横締めＰＣ鋼材を探査機１４により、探査し、確認する。
その結果を基にして実削孔位置を決定する。
（ｃ）図において、既設歩道床版３’のアンカー設置位置にコアボーリングマシンＢにより削孔を行う。
（ｄ）図において、既設歩道床版３’下面部に、補強部材としての鋼製のブラケット６を設置する。
（ｅ）図において、既設歩道床版３’上に後に設置するアルミニウム合金製床版１の高さに合う、高さ調整板（通常コンクリート又はモルタル製）２を敷設する。
（ｆ）次いで、高さ調整板２の上面とその外側に延出させてアルミニウム合金製床版１を橋梁の橋軸方向に平行に上載する。
（ｇ）図において、アルミニウム合金製床版１とブラケット６とをアンカー４を介して強固に連結する。
（ｈ）図において、橋面工としての地覆、高欄、舗装等を施工する。
以上により、既設橋梁の拡幅歩道構造の施工の全工程が完了する。
【実施例２】
【００１５】
次に他の本発明の既設橋梁の拡幅歩道構造の施工工程例（２）を図４（ａ）〜（ｈ）により説明する。
まず、（ａ）図において橋梁の主桁５下から吊り材１０により橋梁外側部にかけて吊り足場１１及び防護工１２を施工する。
次いで、（ｂ）図において、主桁５、５の下フランジ５’、５’間に横設ストラット９を挟設する。
次いで、（ｃ）図において既設歩道部（３０）を撤去した後、設計にて決定されたアンカー設置位置周辺の既設歩道床版３’中の横締めＰＣ鋼材を探査し、確認する。
その結果を基にして実削孔位置を決定する。
（ｄ）図において、既設歩道床版３’のアンカー設置位置にコアボーリングマシンＢにより削孔を行う。
（ｅ）図において、既設歩道床版３’下面部に、補強部材としての鋼製のブラケット６を設置する。
（ｆ）図において、階段状足場１３を吊り足場１１上に組立て、下フランジ５’から斜め上方へ傾斜ストラット８を斜設し、その上端に縦桁７を取り付ける。
（ｇ）図において、既設歩道床版３’上に後に設置するアルミニウム合金製床版１の高さに合う、高さ調整板（通常コンクリート又はモルタル製）２を敷設し、さらに、高さ調整板２の上面とその外側に延出させてアルミニウム合金製床版１を橋梁の橋軸方向に平行に上載する。
（ｈ）図において、アルミニウム合金製床版１とブラケット６とをアンカー４を介して強固に連結する。
（ｉ）図において、橋面工としての地覆、高欄、舗装等を施工する。
以上により、既設橋梁の拡幅歩道構造の施工の全工程が完了する。
【図面の簡単な説明】
【００１６】
【図１】本願発明の第１実施例の拡幅歩道構造説明図。
【図２】本願発明の第２実施例の拡幅歩道構造説明図
【図３−１】本発明の第１実施例の既設橋梁の拡幅歩道構造の施工工程例の説明図。
【図３−２】本発明の第１実施例の既設橋梁の拡幅歩道構造の施工工程例の説明図。
【図３−３】本発明の第１実施例の既設橋梁の拡幅歩道構造の施工工程例の説明図。
【図４−１】本発明の第２実施例の既設橋梁の拡幅歩道構造の施工工程例の説明図。
【図４−２】本発明の第２実施例の既設橋梁の拡幅歩道構造の施工工程例の説明図。
【図４−３】本発明の第２実施例の既設橋梁の拡幅歩道構造の施工工程例の説明図。
【図５】本願発明に係るアルミニウム合金製床版の一例の斜視図。
【符号の説明】
【００１７】
１：アルミニウム合金製床版、
１ａ：延出部、
１ｂ：既設道路床版又は既設歩道床版上のアルミニウム合金製床版部、
２：高さ調整板、
３：既設道路床版、
３’：既設歩道床版、
４：アンカー、
５：主桁、
５’：下フランジ
６：ブラケット、
７：縦桁、
８：傾斜ストラット（鋼製）、
９：横設ストラット（鋼製又はアルミニウム合金製）、
１０：吊り材、
１１：吊り足場、
１２：防護工、
１３：階段状足場、
１４：探査機、
３０：既設歩道部、
１００：デッキプレート
１０１：パネル、
Ｂ：コアボーリングマシン、
【図１】
2005127066.tif 000005
【図２】
2005127066.tif 000006
【図３−１】
2005127066.tif 000007
【図３−２】
2005127066.tif 000008
【図３−３】
2005127066.tif 000009
【図４−１】
2005127066.tif 000010
【図４−２】
2005127066.tif 000011
【図４−３】
2005127066.tif 000012
【図５】
2005127066.tif 000013